(57)【要約】  【課題】  固定板止着具の揺動に伴う固定板止着具の抜脱や防水材の飛散を防止することができ、更に、固定板のめり込みによる中間材の破損などを防止できる建造物防水構造を提供すること。  【解決手段】  固定板止着具７の頭部７ｂは、固定板４の係合凹部４ａ内に係合された状態で、固定板４の挿通孔４ｂの周縁部に当接されている。一方、固定板止着具７の軸部７ａは、固定板４の挿通孔４ｂ内に挿通され、支持部材６のスペーサ部６ｂ内周に螺挿され、更に、支持部材６の座部６ａの貫通孔６ｃ内にも螺挿されて、構造基材２に螺着されている。この螺着によって、支持部材６の座部６ａの略中央部は構造基材２に対して圧着固定され、なおかつ、固定板止着具７の頭部７ｂは固定板４における挿通孔４ｂの周縁部に押圧され、更に、この押圧によって、固定板４は支持部材６のスペーサ部６ｂの上端面に圧着固定される。【選択図】        図３
2007315130.tif 000002
【特許請求の範囲】
【請求項１】
建造物の防水対象箇所に配設される構造基材と、
その構造基材上に敷設される中間材と、
その中間材上に局部的に載置される固定板と、
その固定板に対置されると共に、更に、前記中間材と前記構造基材との間に介装される座部と、その座部に固定されて前記中間材を貫通して前記固定板へ延設されるスペーサ部とを有している支持部材と、
その支持部材の前記座部を前記構造基材に止着する座部止着具と、
その座部止着具とは別設され、前記固定板に係合された状態で、前記支持部材の前記スペーサ部内に挿入されて前記座部を貫通して前記構造基材に止着される固定板止着具と、
その固定板止着具が係合されている前記固定板を被覆して前記中間材上に覆設されてその固定板に接着されるシート状の防水材とを備えており、
前記固定板止着具によって、前記固定板を前記支持部材の前記スペーサ部に向かって圧着固定すると共に、更に、その支持部材の前記座部を前記構造基材に固定するものであることを特徴とする建造物防水構造。
【請求項２】
建造物の防水対象箇所に配設される構造基材と、
その構造基材上に敷設される中間材と、
その中間材上に覆設されるシート状の防水材と、
その防水材上に局部的に載置される固定板と、
その固定板に対置されると共に、更に、前記中間材と前記構造基材との間に介装される座部と、その座部に固定されて前記中間材を貫通して前記固定板へ延設されるスペーサ部とを有している支持部材と、
その支持部材の前記座部を前記構造基材に止着する座部止着具と、
その座部止着具とは別設され、前記固定板に係合された状態で、前記防水材を貫通して前記支持部材の前記スペーサ部内に挿入され、更に、前記座部を貫通して前記構造基材に止着される固定板止着具と、
その固定板止着具が係合されている前記固定板を被覆して前記防水材上に局部的に覆設されてその固定板に接着される固定板被覆シートとを備えており、
前記固定板止着具によって、前記固定板を前記支持部材の前記スペーサ部に向かって圧着固定すると共に、更に、その支持部材の前記座部を前記構造基材に固定するものであることを特徴とする建造物防水構造。
【請求項３】
前記固定板止着具は、前記固定板を貫通して前記スペーサ部内周に螺挿されて前記座部を貫通して前記構造基材に螺着される軸部と、その軸部に連設されて前記固定板に係合される頭部とを備えており、
その固定板止着具の頭部は、その固定板止着具の軸部が前記スペーサ部内周に螺挿されることで、前記固定板を前記スペーサ部に向けて押圧するものであることを特徴とする請求項１又は２に記載の建造物防水構造。
【請求項４】
前記固定板止着具は、前記固定板を貫通して前記スペーサ部内周に挿入されて前記座部に螺挿されて前記構造基材に螺着される軸部と、その軸部に連設されて前記固定板に係合される頭部とを備えており、
その固定板止着具の頭部は、その固定板止着具の軸部が前記座部に螺挿されることで、前記固定板を前記スペーサ部に向けて押圧するものであることを特徴とする請求項１又は２に記載の建造物防水構造。
【請求項５】
前記支持部材は、前記座部と前記スペーサ部とが一体化された一体物であることを特徴とする請求項１から４のいずれかに記載の建造物防水構造。
【請求項６】
前記支持部材は、前記座部の略中央部に前記スペーサ部が立設されており、
前記支持部材は、前記固定板止着具によって前記座部の略中央部が、前記座部止着具によって前記座部の両端部が、前記構造基材に対してそれぞれ固定されるものであることを特徴とする請求項１から５のいずれかに記載の建造物防水構造。
【発明の詳細な説明】
【技術分野】
【０００１】
本発明は、建造物の防水対象箇所に防水する建造物防水構造に関するものである。
【背景技術】
【０００２】
従来、建造物の屋根の防水構造としては、屋根下地の上に断熱材を敷設し、その断熱材の上に固定板を載置し、その固定板に固定ネジを係合させつつ、その固定ネジの軸部を断熱材に貫通させて屋根下地に螺入することで固定板を屋根下地に止着し、更に、その固定板の上面に防水シートを接着し、防水シートを間接的に屋根下地に止着するものが提案されており、例えば、下記特許文献１及び２に記載されているものがある。
【０００３】
そして、このような防水構造によれば、例えば、複数の円板形状の固定板が断熱材上に一定の間隔で点在配置されて、これらの固定板を被覆するように断熱材上に防水シートが敷設されて、その防水シートを各固定板に接着することで、防水シートが断熱材上にスポット状に接着されている。
【特許文献１】特開２００３−２６８９３４公報
【特許文献２】特開平１０−７７７２２号公報
【発明の開示】
【発明が解決しようとする課題】
【０００４】
しかしながら、上記した防水構造では、防水シートが複数点在する固定板に接着されているため、屋外の風などによって防水シート上に局部的に負圧が発生すると、この負圧によって防水シートが断熱材上から局部的に浮き上がってしまうことがある。特に、このような防水シートの浮き上がりは、それが接着される固定板を持ち上げる力となって、この固定板に係合される固定ネジを、屋根下地に対して揺動させたり、屋根下地から引き抜こうとする負荷となる。
【０００５】
そして、このような防水シートの浮き沈みが繰り返されると、その力で揺動させられる固定ネジによって、断熱材が削られたり或いは押し潰されたりして破損されたり、更には、この固定ネジが螺入される屋根下地までも破損させてしまう虞がある。また、このような揺動によって固定ネジが弛緩してしまうと、固定板の固定強度が低下して、防水シートが飛散してしまう虞も考えられる。
【０００６】
かかる事態は、特に軟質の断熱材を使用した防水構造において危惧されるが、断熱材とは異なる建材を屋根下地に敷設してその上に固定板を載置するような場合や、屋根下地自体の上に固定板を載置するような場合でも、上記のように固定ネジが揺動すると、かかる建材や屋根下地自体を固定ネジで破損させてしまう可能性はあり、結果、固定ネジの弛緩や、それに伴う防水シートの飛散が危惧される状況には変わりはない。
【０００７】
更に、軟質の断熱材の上に固定板を載置して固定ネジを屋根下地に螺入させる場合、この固定ネジの螺入深さ（ねじ込み量）を誤ってねじ込み過ぎると、固定ネジに係合された固定板が断熱材に埋まるようにめり込んでしまって、断熱材を破損させてしまうという問題点もあった。
【０００８】
本発明は、上述した問題点を解決するためになされたものであって、固定板止着具の揺動に伴う固定板止着具の抜脱や防水材の飛散を防止することができ、更に、固定板のめり込みによる中間材の破損などを防止できる建造物防水構造を提供することを目的としている。
【課題を解決するための手段】
【０００９】
この目的を達成するために請求項１記載の建造物防水構造は、建造物の防水対象箇所に配設される構造基材と、その構造基材上に敷設される中間材と、その中間材上に局部的に載置される固定板と、その固定板に対置されると共に、更に、前記中間材と前記構造基材との間に介装される座部と、その座部に固定されて前記中間材を貫通して前記固定板へ延設されるスペーサ部とを有している支持部材と、その支持部材の前記座部を前記構造基材に止着する座部止着具と、その座部止着具とは別設され、前記固定板に係合された状態で、前記支持部材の前記スペーサ部内に挿入されて前記座部を貫通して前記構造基材に止着される固定板止着具と、その固定板止着具が係合されている前記固定板を被覆して前記中間材上に覆設されてその固定板に接着されるシート状の防水材とを備えており、前記固定板止着具によって、前記固定板を前記支持部材の前記スペーサ部に向かって圧着固定すると共に、更に、その支持部材の前記座部を前記構造基材に固定するものである。
【００１０】
この請求項１記載の建造物防水構造によれば、建造物の防水対象箇所には構造基材が配設されており、この構造基材には、座部止着具によって支持部材の座部が止着される。また、構造基材上には中間材が敷設されて、この構造基材と中間材との間に支持部材の座部が介装される。更に、この座部からは支持部材のスペーサ部が中間材を貫通する格好で延設される。そして、このスペーサ部の延設方向の先には、支持部材に対置した状態で、固定板が中間材上に局部的に載置されている。
【００１１】
固定板には固定板止着具が係合されており、この固定板止着具は、支持部材のスペーサ部内に挿入され、更に、支持部材の座部を貫通して、構造基材に止着される。すると、この固定板止着具によって、固定板が支持部材のスペーサ部に向かって圧着固定され、更に、支持部材の座部が構造基材に対して固定され、この結果、固定板と支持部材とが一体的に連結された状態で構造基材に固定される。そして、シート状の防水材が固定板を被覆するように中間材上に覆設されて固定板に接着されると、かかる防水材が中間材上に敷設された状態で構造基材に対して固定される。
【００１２】
請求項２記載の建造物防水構造は、建造物の防水対象箇所に配設される構造基材と、その構造基材上に敷設される中間材と、その中間材上に覆設されるシート状の防水材と、その防水材上に局部的に載置される固定板と、その固定板に対置されると共に、更に、前記中間材と前記構造基材との間に介装される座部と、その座部に固定されて前記中間材を貫通して前記固定板へ延設されるスペーサ部とを有している支持部材と、その支持部材の前記座部を前記構造基材に止着する座部止着具と、その座部止着具とは別設され、前記固定板に係合された状態で、前記防水材を貫通して前記支持部材の前記スペーサ部内に挿入され、更に、前記座部を貫通して前記構造基材に止着される固定板止着具と、その固定板止着具が係合されている前記固定板を被覆して前記防水材上に局部的に覆設されてその固定板に接着される固定板被覆シートとを備えており、前記固定板止着具によって、前記固定板を前記支持部材の前記スペーサ部に向かって圧着固定すると共に、更に、その支持部材の前記座部を前記構造基材に固定するものである。
【００１３】
この請求項２記載の建造物防水構造によれば、建造物の防水対象箇所には構造基材が配設されており、この構造基材には、座部止着具によって支持部材の座部が止着される。また、構造基材上には中間材が敷設されて、この中間材上にはシート状の防水材が覆設される。このとき、構造基材と中間材との間には支持部材の座部が介装され、この座部からは支持部材のスペーサ部が中間材を貫通する格好で延設される。そして、このスペーサ部の延設方向の先には、支持部材に対置した状態で、固定板が防水材上に局部的に載置されている。
【００１４】
固定板には固定板止着具が係合されており、この固定板止着具は、防水材を貫通して支持部材のスペーサ部内に挿入され、更に、支持部材の座部を貫通して構造基材に止着される。すると、この固定板止着具によって、固定板が支持部材のスペーサ部に向かって圧着固定され、更に、支持部材の座部が構造基材に対して固定され、この結果、固定板と支持部材とが一体的に連結された状態で構造基材に固定される。そして、固定板被覆シートは、固定板を被覆するように防水材上に局部的に覆設される。
【００１５】
請求項３記載の建造物防水構造は、請求項１又は２に記載の建造物防水構造において、前記固定板止着具は、前記固定板を貫通して前記スペーサ部内周に螺挿されて前記座部を貫通して前記構造基材に螺着される軸部と、その軸部に連設されて前記固定板に係合される頭部とを備えており、その固定板止着具の頭部は、その固定板止着具の軸部が前記スペーサ部内周に螺挿されることで、前記固定板を前記スペーサ部に向けて押圧するものである。
【００１６】
この請求項３記載の建造物防水構造によれば、請求項１又は２に記載の建造物防水構造と同様に作用する上、固定板止着具の軸部は、固定板を貫通して支持部材のスペーサ部内周に螺挿され、更に、支持部材の座部を貫通して構造基材に螺着される。すると、固定板に係合されている固定板止着具の頭部によって固定板が支持部材のスペーサ部に向けて押圧され、この押圧によって固定板が支持部材のスペーサ部に向けて圧着されるのである。
【００１７】
請求項４記載の建造物防水構造は、請求項１又は２に記載の建造物防水構造において、前記固定板止着具は、前記固定板を貫通して前記スペーサ部内周に挿入されて前記座部に螺挿されて前記構造基材に螺着される軸部と、その軸部に連設されて前記固定板に係合される頭部とを備えており、その固定板止着具の頭部は、その固定板止着具の軸部が前記座部に螺挿されることで、前記固定板を前記スペーサ部に向けて押圧するものである。
【００１８】
この請求項４記載の建造物防水構造によれば、請求項１又は２に記載の建造物防水構造と同様に作用する上、固定板止着具の軸部は、固定板を貫通して支持部材のスペーサ部内周に挿入され、更に、支持部材の座部に螺挿されて構造基材に螺着される。すると、固定板に係合されている固定板止着具の頭部によって固定板が支持部材のスペーサ部に向けて押圧され、この押圧によって固定板が支持部材のスペーサ部に向けて圧着される。
【００１９】
請求項５記載の建造物防水構造は、請求項１から４のいずれかに記載の建造物防水構造において、前記支持部材は、前記座部と前記スペーサ部とが一体化された一体物である。
【００２０】
請求項６記載の建造物防水構造は、請求項１から５のいずれかに記載の建造物防水構造において、前記支持部材は、前記座部の略中央部に前記スペーサ部が立設されており、前記支持部材は、前記固定板止着具によって前記座部の略中央部が、前記座部止着具によって前記座部の両端部が、前記構造基材に対してそれぞれ固定されるものである。
【００２１】
この請求項６記載の建造物防水構造によれば、請求項１から５のいずれかに記載の建造物防水構造と同様に作用する上、支持部材は、その座部の略中央部がスペーサ部内に挿入される固定板止着具によって構造基材に固定され、且つ、その座部の両端部が座部止着具によって構造基材に固定される。
【発明の効果】
【００２２】
本発明の建造物防水構造によれば、固定板止着具は、固定板を支持部材のスペーサ部に向けて圧着固定することで、固定板を支持部材に一体的に連結させることができると共に、支持部材の座部を構造基材に固定することもできる。すなわち、固定板止着具は、構造基材に固定板及び支持部材を一括して固定することができるという効果がある。しかも、支持部材の座部は、固定板止着具による圧着固定のみならず、座部止着具によっても構造基材に止着されるので、固定板や支持部材に加わる外力を固定板止着具と座部止着具とに分散させることができ、固定板止着具の弛緩や抜脱などを防止することができる。
【００２３】
また、固定板止着具は支持部材のスペーサ部内に挿入されることで周囲を拘束されるので、固定板止着具を揺動させようとする様々な外力が加わったとしても、スペーサ部内で固定板止着具が揺動することを規制することができるという効果がある。しかも、この固定板止着具が挿入されるスペーサ部は、構造基材に対して固定板止着具と座部止着具とによって固定されているので、支持部材を構造基材に頑強に固定することができ、支持部材がスペーサ部ごと斜倒することを防止できるという効果がある。
【００２４】
特に、請求項１記載の建造物防水構造によれば、固定板止着具による圧着によって固定板が中間材に押し付けられても、この固定板と構造基材との間には支持部材のスペーサ部が介在しているので、このスペーサ部によって固定板の沈み込みを規制でき、結果、固定板の中間材へのめり込みを防止することができるという効果がある。
【００２５】
また、請求項２記載の建造物防水構造によれば、固定板止着具による圧着によって固定板が防水材に押し付けられても、この固定板と構造基材との間には支持部材のスペーサ部が介在しているので、このスペーサ部によって固定板の沈み込みを規制でき、結果、固定板が不必要に防水材に食い込んだり、又は、固定板により圧迫された中間材が圧潰することなどを防止できるという効果がある。
【００２６】
また、請求項３記載の建造物防水構造によれば、固定板止着具の軸部が支持部材のスペーサ部内周に螺挿されることで、支持部材のスペーサ部と固定板止着具との結合状態を高めることができ、固定板止着具がスペーサ部内でガタつくことを防止して、固定板止着具の抜脱や揺動を防止する性能を更に高めることができるという効果がある。
【００２７】
また、請求項４記載の建造物防水構造によれば、固定板止着具の軸部が支持部材の座部に螺挿されることで、支持部材の座部と固定板止着具との結合状態を高めることができ、固定板止着具がスペーサ部内でガタつくことを防止して、固定板止着具の抜脱や揺動を防止する性能を更に高めることができるという効果がある。
【００２８】
また、請求項５記載の建造物防水構造によれば、支持部材は、座部及びスペーサ部が一体化された一体物であるので、座部が座部止着具により構造基材に止着されれば、併せて、スペーサ部を構造基材に取り付けできる。つまり、座部とスペーサ部とを一括して構造基材に取り付けることができるという効果がある。
【００２９】
また、請求項６記載の建造物防水構造によれば、支持部材を、その座部の略中央部及び両端部の少なくとも３箇所で構造基材に固定することで、支持部材を構造基材に安定的に固定することができるという効果がある。
【発明を実施するための最良の形態】
【００３０】
以下、本発明の好ましい実施例について、添付図面を参照して説明する。図１は、本発明の一実施例である防水構造１を部分的に断面視した構造斜視図であり、図１（ｂ）は、図１（ａ）に示す防水構造１に用いられる固定板４の拡大斜視図である。なお、図１（ｂ）に図示されている固定板４の表面に表された細かい点は、固定板４表面に積層形成される接着部４ｄを表現したものである。
【００３１】
図１に示すように、防水構造１は、建造物の防水対象箇所である屋上に防水シート５を固定するための構造である。そして、この防水構造１は、主として、構造基材２と、中間材３と、固定板４と、防水シート５と、支持部材６（図３参照）と、固定板止着具７（図３参照）と、座部止着具８（図３参照）とを備えている。まず、構造基材２は、建造物の防水対象箇所である屋上に配設される資材であって、屋根の下地となるコンクリートスラブ（床版）で形成されている。
【００３２】
ここで、構造基材２となるコンクリートスラブには、種々のコンクリート製のスラブが包含されており、例えば、鉄筋コンクリート構造、鉄骨鉄筋コンクリート構造、軽量気泡コンクリート製パネルを鉄骨などの構造躯体上に敷設して形成される軽量気泡コンクリート構造、デッキプレートや金属折板などの構造躯体とコンクリートとの組み合わせで形成されるデッキコンクリート構造、又は、プレキャストコンクリート（鉄筋コンクリートパネル）で形成されるプレキャストコンクリート構造のスラブなどがある。
【００３３】
なお、一般的に、鉄筋コンクリート構造は「ＲＣ構造」、鉄骨鉄筋コンクリート構造は「ＳＲＣ構造」、軽量気泡コンクリート構造は「ＡＬＣ構造」、プレキャストコンクリート構造は「ＰＣ構造」と略称される。
【００３４】
中間材３は、構造基材２上に敷設される資材であって、屋根下地上に敷設される厚板状の断熱材で形成されている。ここで、中間材３となる断熱材には、種々の発泡プラスチック系断熱材が包含されており、例えば、架橋ポリエチレンフォームなどのポリエチレンフォーム系のもの、ビーズ法ポリスチレンフォーム系のもの、押出発泡ポリスチレンフォーム系のもの、又は、イソシアヌレートフォーム系のものなどがある。
【００３５】
固定板４は、中間材３上に局部的に複数載置されており、具体的には、中間材３上における縦方向及び横方向に一定の間隔で複数点在配置されている。これら複数の固定板４は、例えば、直径略８０ｍｍ〜９０ｍｍ程度のステンレス鋼製の略円板状に形成されており、後述する支持部材６及び固定板止着具７によって構造基材２に対してそれぞれ固定されている。
【００３６】
防水シート５は、各固定板４の上面に接着固定されるシート状の防水用資材であり、複数の固定板４を被覆しながら中間材３上に覆設される。この防水シート５は、複数の固定板４にそれぞれ接着されることで、中間材３としての断熱材上にスポット状に接着される。防水シート５は、例えば、ポリ塩化ビニル樹脂系のシート材で形成されており、隣接する各防水シート５同士の縁端部が相互に接着されることで、構造基材２上に敷設される。なお、防水対象箇所の面積に合わせた一枚物の防水シート５を用いることもできる。
【００３７】
図１（ｂ）に示すように、固定板４の平面中央部には固定板止着具７の頭部７ｂが係合可能な係合凹部４ａが凹設されており、この係合凹部４ａの底部には固定板止着具７の軸部７ａが挿通可能な挿通孔４ｂが穿設されている。そして、固定板４の上面には、係合凹部４ａの周囲を取り囲むように所定ピッチで環状凹部４ｃが凹設されている。
【００３８】
このように、固定板４は、係合凹部４ａや環状凹部４ｃの凹設によって縦断面視した形状が凹凸起伏したものに形成されており（図３参照）、単なる平板状のものに比べて断面二次モーメントが大きくされ、薄板であっても剛性強度が高められている。なお、このような凹凸起伏の固定板４は、主として板金をプレス加工することで成形されるものであるが、この他にも冶金、鋳造、切削などの他の加工方法によって形成することもできる。
【００３９】
また、固定板４の上面全体には熱可塑性合成樹脂製の接着部４ｄが一体的に形成されており、この接着部４ｄに用いられる熱可塑性合成樹脂は溶融することで接着性を発揮するものである。また、この接着部４ｄは、例えば、ポリエステル樹脂等のホットメルト接着材を固定板４の上面に塗布すると共に乾燥させて積層形成したものである。
【００４０】
図２（ａ）は、支持部材６の平面図であり、図２（ｂ）は、支持部材６の正面図であり、図２（ｃ）は、支持部材６の右側面図であり、図２（ｄ）は、支持部材６の底面図である。なお、支持部材６の左側面図は右側面図と同一となる。
【００４１】
図２に示すように、支持部材６は、平面視略長方形の板状体である座部６ａと、その座部６ａに固定される中空略円筒状のスペーサ部６ｂとを備えている。この支持部材６は、スペーサ部６ｂが座部６ａの平面略中央から略垂直に立設されており、このスペーサ部６ｂの下端部が座部６ａに溶接によって固着されている。この固着によって、支持部材６は座部６ａ及びスペーサ部６ｂが一体化された一体物（単一体）とされている。
【００４２】
また、支持部材６の座部６ａにはスペーサ部６ｂの内周部と同心状でかつそれよりも小径状の貫通孔６ｃが穿設されており、この貫通孔６ｃは固定板止着具７の軸部７ａ先端を螺入させる場合において下穴となるものである。また、支持部材６の座部６ａには、それを平面視した場合の長手方向両端部に貫通孔６ｃと略一直線上に並ぶように取付孔６ｄ，６ｄがそれぞれ穿設されている。この各取付孔６ｄは、支持部材６の座部６ａを構造基材２上に止着する場合に、座部止着具８を取り付けるための下穴である。
【００４３】
更に、支持部材６のスペーサ部６ｂの長さは構造基材２と固定板４との間に挟持される中間材３の厚みと略等しくされている。このため、支持部材６のスペーサ部６ｂを中間材３に貫通させると、スペーサ部６ｂの上端面が中間材３の表面と略面一となるので、固定板止着具７を用いて、固定板４を用いて支持部材６のスペーサ部６ｂに圧着する場合に、固定板４が中間材３の表面にめり込むことを防止できるのである（図３参照）。
【００４４】
なお、支持部材６のスペーサ部６ｂの長さを中間材３の厚みよりも僅かに、例えば、略１ｍｍ〜略５ｍｍ程度短くすれば、このスペーサ部６ｂを中間材３に貫通させる場合に、スペーサ部６ｂの上端面を中間材３の表面よりも僅かに低くしても良い。さすれば、固定板止着具７を用いて固定板４を支持部材６のスペーサ部６ｂに圧着する場合に、固定板４によって中間材３を構造基材２に押さえ付けることもできるようになる。
【００４５】
図３は、図１の部分的な縦断面図であって、防水構造１の断面構造を図示したものである。図３に示すように、支持部材６の座部６ａは、建造物の防水対象箇所に配設されている構造基材２に、２本の座部止着具８によって止着される。この座部止着具８は、例えば、支持部材６の座部６ａを構造基材２に止着するための釘であって、座部６ａの各取付孔６ｄ，６ｄに挿通されて構造基材２に打ち込まれることによって、支持部材６の座部６ａの両端部（図３左右両側）を構造基材２に釘着して固定するものである。なお、本実施例では、構造基材２がコンクリートスラブであるため、コンクリート釘が座部止着具８として用いられている。
【００４６】
このように支持部材６が固定された構造基材２上には中間材３が敷設されている。かかる状態で、支持部材６の座部６ａは、これらの構造基材２と中間材３との間に介装されており、更に、支持部材６のスペーサ部６ｂは中間材３を貫通するように略鉛直上方に延設されている。そして、このスペーサ部６ｂの延設方向には固定板４が支持部材６に対置しつつ中間材３上に局部的に載置されており、この固定板４には固定板止着具７が係合されている。
【００４７】
固定板止着具７は、上記した２本の座部止着具８とは別設されるものであり、固定板４に係合された状態で、支持部材６のスペーサ部６ｂ内に挿入されて、その先端部が座部６ａを貫通して構造基材２に止着されるものである。この固定板止着具７は、尖形状の先端を有して外周にネジ山が形成された軸部７ａと、その軸部７ａの基端部に連設される大径状の頭部７ｂとを有しており、具体的には、コンクリートスラブに螺入及び止着可能なネジ部品、例えば、各種コンクリート用のビスが用いられている。
【００４８】
この固定板止着具７の頭部７ｂは、固定板４の係合凹部４ａ内に係合された状態で、固定板４の挿通孔４ｂの周縁部に当接されている。一方、固定板止着具７の軸部７ａは、固定板４の挿通孔４ｂ内に挿通され、支持部材６のスペーサ部６ｂ内周に螺挿され、更に、支持部材６の座部６ａの貫通孔６ｃ内にも螺挿されて、構造基材２に螺着されている。
【００４９】
この螺着によって、支持部材６の座部６ａの略中央部は構造基材２に対して圧着固定され、なおかつ、固定板止着具７の頭部７ｂは固定板４における挿通孔４ｂの周縁部に押圧され、更に、この押圧によって、固定板４は支持部材６のスペーサ部６ｂの上端面に圧着固定されるのである。この結果、固定板４は支持部材６に一体的に緊密に連結された状態で構造基材２に固定され、その上、中間材３は、構造基材２と固定板４との間に挟持された格好で、構造基材２に対して固定される。
【００５０】
しかも、固定板止着具７の軸部７ａは、支持部材６のスペーサ部６ｂ内及び貫通孔６ｃ内に螺挿されることで、その周囲がスペーサ部６ｂ及び座部６ａによって包囲拘束されるので、固定板止着具７を揺動させようとする様々な外力が加わったとしても、固定板止着具７の揺動を規制することができる。更に、かかる場合において、固定板止着具７の軸部７ａは構造基材２のみならず支持部材６にも螺合されているので、支持部材６の軸部７ａが抜脱され難くなると共に固定板止着具７の締め付け力を、支持部材６のスペーサ部６ｂに固定板４を圧着するための圧着力として利用することができる。
【００５１】
支持部材６は、スペーサ部６ｂの内径が固定板止着具７の軸部７ａの最大径部よりも小さく形成されている。このため、スペーサ部６ｂの内周面には、防水構造１を建造物に施工する際に固定板止着具７の軸部７ａが支持部材６のスペーサ部６ｂ内周に螺入されることで、その固定板止着具７の軸部７ａのネジ山によって、そのネジ山と螺合可能な雌ネジが螺刻されている。
【００５２】
また、支持部材６の座部６ａに穿設される貫通孔６ｃの内径は、もともとスペーサ部６ｂの内周よりも小径であるので、当然のことながら固定板止着具７の軸部７ａの最大径部よりも小さくなる。このため、座部６ａの貫通孔６ｃにも、防水構造１を建造物に施工する際に固定板止着具７の軸部７ａが支持部材６のスペーサ部６ｂ内周に螺入されることで、その固定板止着具７の軸部７ａのネジ山によって拡開されて、そのネジ山と螺合可能な雌ネジが螺刻されている。
【００５３】
防水シート５は、固定板４を被覆するように中間材３上に覆設されて、固定板４の接着部４ｄが溶融後再凝固することで固定板４上面に接着されている。この接着によって、防水シート５は、固定板４及び支持部材６を介して、中間材３上に敷設されたまま構造基材２に対して固定される。ここで、防水シート５を固定板４上面に接着する場合は、防水シート５上から電磁誘導加熱器（図示せず）を固定板４の配設位置に当てて、この電磁誘導加熱器に通電すれば、固定板４が加熱されて、固定板４の接着部４ｄが溶融されて防水シート５に付着する。そして、この後、電磁誘導加熱器による加熱を停止させて接着部４ｄを再凝固させると、防水シート５が固定板４上面に接着されるのである。
【００５４】
次に、図４から図５を参照して、上記実施例に関する幾つかの変形例について説明する。図４は、第２実施例の防水構造２０の断面構造を示す縦断面図である。第２実施例の防水構造２０は、上記した第１実施例の防水構造１に対して、中間材３の上に防水シート５を覆設して、この中間材３及び防水シート５を構造基材２と固定板４との間に挟持するように変更したものである。以下、第１実施例と同一の部分には同一の符号を付して、その説明を省略し、異なる部分のみを説明する。
【００５５】
図４に示すように、この第２実施例の防水構造２０によれば、支持部材６が固定されている構造基材２上には中間材３が敷設され、この中間材３上には防水シート５が覆設されている。また、支持部材６は、そのスペーサ部６ｂが中間材３及び防水シート５を貫通するように略鉛直上方に延設されており、このスペーサ部６ｂの延設方向には固定板４が支持部材６に対置しつつ防水シート５上に局部的に載置されている。
【００５６】
この固定板４と防水シート５との間には、固定板４との接触から防水シート５を保護して補強するための補強シート２１が介装されている。この補強シート２１は、防水シート５と同様の素材で形成される略円板状のシート材であり、固定板４の略等しい外径を有している。例えば、固定板４の直径が略８０〜９０ｍｍ程度である場合には、補強シート２１の直径は略１００ｍｍ程度のサイズとされる。
【００５７】
なお、補強シート２１は防水シート５上に載置するだけでも良いが、かかる補強シート２１を防水シート５に対して接着するようにしても良い。また、固定板４と防水シート５との間に補強シート２１を介装させない場合には、防水シート５の上に固定板４を直接載置するようにしても良い。
【００５８】
固定板４に頭部７ｂが係合されている固定板止着具７は、固定板４の挿通孔４ｂ内へ挿通され、防水シート５及び補強シート２１に貫通されている支持部材６のスペーサ部６ｂ内に挿入され、その先端部が座部６ａを貫通して構造基材２に止着されている。この結果、固定板４は支持部材６に一体的に連結された状態で構造基材２に固定され、構造基材２上に敷設されている中間材３、防水シート５及び補強シート２１は、固定板４と構造基材２との間に挟持される格好で、構造基材２に対して固定されている。
【００５９】
更に、固定板被覆シート２２は、固定板４を被覆するように防水シート５上に局部的に覆設されて、固定板４の接着部４ｄが溶融後再凝固することで固定板４上面に接着される。固定板被覆シート２２は、例えば、防水シート５や補強シート２１と同様の素材で形成される略円盤状のシート材であり、固定板４の平面サイズより大きく形成されている。例えば、固定板４の直径が略８０〜９０ｍｍ程度である場合には、固定板被覆シート２２の直径は略１５０ｍｍ程度のサイズとされる。
【００６０】
このため、固定板４上に固定板被覆シート２２が覆設されると、この固定板被覆シート２２によって固定板４全体が被覆されるのである。しかも、固定板被覆シート２２の周縁部は、溶剤溶着や接着剤によって防水シート５や補強シート２１と相互に接着されるので、固定板被覆シート２２と防水シート５との間から浸水することが防止されるのである。
【００６１】
また、第２実施例における支持部材６のスペーサ部６ｂの長さは、構造基材２と固定板４との間に挟持される中間材３、防水シート５及び補強シート２１を重ね合わせた厚みと略等しくされている。このため、支持部材６のスペーサ部６ｂを中間材３、防水シート５及び補強シート２１に貫通させると、スペーサ部６ｂの端面が補強シート２１の表面と略面一となるので、固定板止着具７を用いて、固定板４を用いて支持部材６のスペーサ部６ｂに圧着する場合に、固定板４が補強シート２１及び防水シート５にめり込むことを防止できるのである（図３参照）。
【００６２】
なお、支持部材６のスペーサ部６ｂの長さを中間材３の厚みと略等しくすれば、このスペーサ部６ｂを中間材３、防水シート５及び補強シート２１に貫通させる場合に、防水シート５と補強シート２１とを重ね合わせた厚みの分だけ、スペーサ部６ｂの端面を防水シート５の表面よりも僅かに低くできる。さすれば、固定板止着具７を用いて固定板４を支持部材６のスペーサ部６ｂに圧着する場合に、固定板４によって中間材３及び防水シート５を構造基材２に押さえ付けることができる。
【００６３】
図５（ａ）は、第３実施例の防水構造３０の断面構造を示す縦断面図であり、図５（ｂ）は、第４実施例の防水構造４０の断面構造を示す縦断面図である。第３及び第４実施例の防水構造３０，４０は、上記した第１実施例の防水構造１に対して、支持部材の形態を変更したものである。以下、第１実施例と同一の部分には同一の符号を付して、その説明を省略し、異なる部分のみを説明する。
【００６４】
図５（ａ）に示すように、第３実施例の防水構造３０では、第１実施例の場合とは異なり、固定板止着具７が挿入される支持部材３１のスペーサ部６ｂ内径は、固定板止着具７の軸部７ａの最大径部よりも大きく形成されている。このため、構造基材２に螺着される固定板止着具７の軸部７ａは、支持部材３１のスペーサ部６ｂ内に遊びをもった状態で遊挿されている。
【００６５】
これに対して、支持部材３１の座部６ａに穿設される貫通孔６ｃの内径は固定板止着具７の軸部７ａの最大径部よりも小さいので、固定板止着具７の軸部７ａは支持部材３１の座部６ａの貫通孔６ｃに螺挿された状態で構造基材２に螺着されている。このように、固定板止着具７を支持部材３１の座部６ａに螺合させるだけでも、固定板止着具７の抜脱防止や揺動防止を図ることができる。
【００６６】
図５（ｂ）に示すように、第４実施例の防水構造４０では、第１実施例の場合とは異なり、支持部材４１のスペーサ部６ｂの内径及び座部６ａの貫通孔６ｃの内径は、固定板止着具７の軸部７ａの最大径部よりも大きく形成されている。このため、構造基材２に螺着される固定板止着具７の軸部７ａは、支持部材４１のスペーサ部６ｂ内及び貫通孔６ｃ内に遊びをもった状態で遊挿されている。このようにするだけでも、固定板止着具７の軸部７ａの周囲はスペーサ部６ｂ及び座部６ａによって包囲拘束されるので、固定板止着具７を揺動させようとする様々な外力が加わったとしても、固定板止着具７の揺動を規制することができるのである。
【００６７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６８】
例えば、本実施例では、防水対象箇所として建造物屋上を例に説明したが、建造物の防水対象箇所は必ずしもこれに限定されるものではなく、例えば、一般建築物やビルその他の建築物におけるベランダ、バルコニー、屋上、壁面若しくは床面、又は、プール、テニスコート、競技場その他の各種施設設備など、防水シート５による防水施工が必要となる構造物の部位に対して、本発明を適用するようにしても良い。
【００６９】
また、本実施例では構造基材２としてコンクリートスラブを例に説明したが、構造基材の種類は必ずしもこれに限定されるものではなく、防水対象箇所の下地形態に応じて異なるものとなる。例えば、フラットデッキ（床型枠用鋼製デッキプレート）製の金属下地の場合は、フラットデッキ自体を構造基材としたり、或いは、フラットデッキを支持する鉄骨などの構造躯体を構造基材として、フラットデッキ自体は中間材又はその一部として取り扱うようにしても良い。
【００７０】
また、金属折板製の金属下地の場合は、金属折板を構造基材としたり、或いは、金属折板を支持する鉄骨などの構造躯体を構造基材として、フラットデッキ自体は中間材又はその一部として取り扱うようにしても良い。また、木質下地の場合は、合板などの野地板を構造基材としたり、或いは、このような野地板を支持する垂木や桟木などの構造躯体を構造基材として、野地板は中間材又はその一部として取り扱うようにしても良い。
【００７１】
更に、木毛セメント板や木片セメント板製の木質系下地の場合は、木毛セメント板若しくは木片セメント板自体を構造基材としたり、或いは、これらを支持する鉄骨などの構造躯体を構造基材として、木毛セメント板や木片セメント板自体は中間材又はその一部として取り扱うようにしても良い。
【００７２】
したがって、第１実施例では中間材３として断熱材を例に説明したが、中間材の種類は必ずしもこれに限定されるものではなく、構造基材と固定板との間に挟装されるものであれば、それらは全て中間材に該当することとなる。換言すれば、中間材となる資材は必ずしも単層物に限定されるものではなく、異種又は同種の資材を２以上積層させた積層物であっても良い。
【００７３】
本実施例では、固定板４の形態を略円板状としたが、かかる形態は必ずしもこれに限定されるものではなく、例えば、略円板状の形態の他にも、角板状や帯板状の形態を採用するようにしても良い。また、固定板の素材は、必ずしもステンレス鋼に限定されるものではなく、例えば、アルミニウムなどの他の金属製のものや、合成樹脂製又はセラミックス製の固定板上に金属層を一体的に積層させたものであっても良い。
【００７４】
本実施例では、固定板４上面の接着部４ｄとしてポリエステル樹脂等の熱可塑性合成樹脂製のものを用いたが、接着部は必ずしもこれに限定されるものではなく、この他にも例えば、ＥＶＡ系や、ポリオレフィン系、スチレン・エラストマー系、ポリアミド系等のホットメルト型樹脂を用いても良い。また、本実施例では、接着部４ｄを固定板４上面全体に形成したが、例えば、係合凹部４ａや環状凹部４ｃを除く平坦面部分にのみ形成するようにしても良い。
【００７５】
更に、固定板４と防水シート５との接着方式及び、固定板４と固定板被覆シート２２との接着方式についてはホットメルトタイプの接着部４ｄを用いた熱融着方式によるものに関して説明したが、これらの接着方式は必ずしもこれらに限定されるものではなく、その他にも溶剤溶着や、接着剤などによる接着方式を用いても良い。
【００７６】
本実施例では、構造基材２がコンクリートスラブの場合において固定板止着具７としてコンクリート用ビスが用いられる旨を説明したが、この他にも、各種のアンカーや釘などを固定板止着具として用いても良い。すなわち、支持部材６のスペーサ部６ｂ内に挿入されて座部６ａを貫通して、固定板４を支持部材６のスペーサ部６ｂに圧着し、支持部材６の座部６ａの略中央部を構造基材２に圧着し、なおかつ、その結果、固定板４を構造基材２に止着することができるものであれば良い。更に、構造基材２が金属製の折板、フラットデッキ又は、鉄骨などの場合には、固定板止着具として軸部先端にドリル状切刃が形成されたドリルネジを用いても良い。
【００７７】
本実施例では、座部止着具８として釘を例示して説明したが、座部止着具の形態は必ずしもこれに限定されるものではなく、例えば、固定板止着具７と同様にビスなどその他の固定部品を用いても良い。
【００７８】
本実施例では、支持部材６のスペーサ部６ｂ及び貫通孔６ｃに雌ネジを刻設する加工方法として、上記のように防水構造１を建造物に施工する際に固定板止着具７の軸部７ａによって螺刻するものとして説明したが、かかる加工方法は必ずしもこれに限定されるものではなく、例えば、防水構造を建造物に施工する以前に、支持部材のスペーサ部の内周面や貫通孔に雌ネジを予め刻設しておくようにしても良い。
【００７９】
本実施例では、支持部材６のスペーサ部６ｂの形態を中空略円筒状と説明したが、支持部材のスペーサ部の形態は必ずしもこれに限定されるものではなく、構造基材２に固定されて固定板４の下面に当接されると共に、構造基材２と固定板４との間に中間材３を挟持するための一定の間隔を確保するスペーサとして機能するものであれば、他の形態のものであっても良い。
【００８０】
本実施例では、支持部材６のスペーサ部６ｂの下端部を座部６ａに溶接により固着することで支持部材６を一体物としたが、支持部材の形態は必ずしもこれに限定されるものではなく、例えば、図６に示す防水構造５０のように、支持部材５１の座部６ａに凹設される凹陥部５２にスペーサ部６ｂの下端部を嵌合させて、固定板止着具７による圧着によってスペーサ部６ｂを座部６ａに固定するようにしても良い。なお、図６は、防水構造１に関する、その他の変形例についての断面構造を示す縦断面図である。
【図面の簡単な説明】
【００８１】
【図１】本発明の一実施例である防水構造を部分的に断面視した構造斜視図であり、（ｂ）は、（ａ）に示す防水構造に用いられる固定板４の拡大斜視図である。
【図２】（ａ）は、支持部材の平面図であり、（ｂ）は、支持部材の正面図であり、（ｃ）は、支持部材の右側面図であり、（ｄ）は、支持部材の底面図である。
【図３】図１の部分的な縦断面図であって、防水構造の断面構造を図示したものである。
【図４】第２実施例の防水構造の断面構造を示す縦断面図である。
【図５】（ａ）は、第３実施例の防水構造の断面構造を示す縦断面図であり、（ｂ）は、第４実施例の防水構造の断面構造を示す縦断面図である。
【図６】防水構造に関する、その他の変形例についての断面構造を示す縦断面図である。
【符号の説明】
【００８２】
１，３０，４０，５０      防水構造（建造物防水構造）
２                        構造基材
３                        中間材
４                        固定板
５                        防水シート（防水材又はその一部）
６，３１，４１，５１      支持部材
６ａ                      座部
６ｂ                      スペーサ部
７                        固定板止着具
７ａ                      軸部
７ｂ                      頭部
８                        座部止着具
２０                      防水構造（建造物防水構造）
２１                      補強シート（防水材の一部）
２２                      固定板被覆シート
【図１】
2007315130.tif 000003
【図２】
2007315130.tif 000004
【図３】
2007315130.tif 000005
【図４】
2007315130.tif 000006
【図５】
2007315130.tif 000007
【図６】
2007315130.tif 000008